(57)【要約】化学反応体の投与のための物品（１０）が、アダプタ（１１）中へ予備加湿された液体又は溶媒和化学反応体を有する。化学反応体不浸透性パッケージは、貯蔵のためにアプリケータを封入するようになったパウチ（１６）を有する。化学反応体投与物品は、化学反応体を連続的にアプリケータの基体接触部分に吸い上げる毛管作用を利用しており、従って、化学反応体の重力の流れとは無関係に動作する。
2005523740.tif 000002
【特許請求の範囲】
【請求項１】
化学反応体の投与のための物品であって、
溶媒和された状態又は投与条件下において液体の状態のうち少なくとも一方の条件を満足する化学反応体と、
上記化学反応体で予備加湿されたアプリケータと、
上記アプリケータを封入するようになったパウチを有する化学反応体不浸透性パッケージと、
を有することを特徴とする物品。
【請求項２】
上記パッケージは、一部が仮シールによって構成されたパウチを有している請求項１記載の物品。
【請求項３】
上記予備加湿アプリケータは、上記パッケージに取り付けられている請求項１記載の物品。
【請求項４】
上記アプリケータは、拭取り片、プレップパッド、綿棒及びスポンジから成る群から選択されている請求項１記載の物品。
【請求項５】
上記化学反応体は、典型元素及びランタニド系列有機金属、典型元素及びランタニド系列金属塩の配位錯体、具体的には、有機錫化合物及び有機銅化合物、銅アセチルアセトネート又はアルデヒドアミン凝縮物から成る群から選択されている請求項１記載の物品。
【請求項６】
上記パッケージは、上記仮シールの近位側に設けられた引き剥がし可能なフラップを有する請求項２記載の物品。
【請求項７】
接着剤を塗布する方法であって、
溶媒和又は液体状態の化学反応体で予備加湿した毛管作用供給型アプリケータを露出させる段階と、
上記アプリケータを上記アプリケータのユーザ接触とは無関係に第１の基体に接触させる段階と、上記化学反応体のフィルムを上記第１の基体に被着させる段階と、
第２の基体を、これと第１の基体との間に硬化性物質及び上記化学反応体を介在させた状態で第１の基体に接触させる段階と、
を有することを特徴とする方法。
【請求項８】
上記アプリケータは、上記化学反応体の上記フィルムを被着させている間、第１の基体の下で差し向けられる請求項７記載の方法。
【請求項９】
請求項１記載の物品を化学反応体用の予備加湿アプリケータとしての上記物品の使用説明書と共に有することを特徴とする商用パッケージ。
【請求項１０】
アプリケータ中の予備加湿状態の化学反応体を塗布するための選択的に引き剥がし可能又は引き裂き可能なパッケージの使用法。
【請求項１１】
上記化学反応体は、これとのユーザ接触とは無関係に投与される請求項１０記載の使用法。
【請求項１２】
請求項７記載の方法により得ることができる接着層。
【請求項１３】
本明細書において実験例のうちの任意の１つについて実質的に記載されると共に（或いは）添付の図面に実質的に記載された請求項１記載の物品。
【発明の詳細な説明】
【技術分野】
【０００１】
本発明は一般に、化学反応体の塗布に関し、特に、かかる反応体用の予備加湿アプリケータに関する。
【背景技術】
【０００２】
多くの重合反応は、嫌気性条件下で進行する。現場条件又は重合中に雰囲気を制御するのに必要な機器が存在しない条件下で重合を引き起こそうとする場合、重合コンポーネントを酸素又は水分への露出と関連した劣化を阻止するよう事前包装することが必要である。
【発明の開示】
【発明が解決しようとする課題】
【０００３】
嫌気性条件下で最もよく硬化する１回使用重合接着剤を包装して空気に敏感な重合触媒を貯蔵中維持するようにすることが通例である。かかる重合触媒は伝統的に、綿棒アンプルに入れた状態で提供され、かかる綿棒アンプルは、触媒を流動性液体の形態で収容した内部の壊れやすい密封ガラスカプセルを含む。外側の保護シース又はバイアルは、プラスチックシート材、例えばポリエチレン、ポリ塩化ビニル又は他の従来型ポリマー材料から作られる。この外側保護シースは、一端が封止され、他端がスポンジ状の液体浸透性小片で終端している。作用を説明すると、基体を予備洗浄し、アンプル内のガラスカプセルを壊し、それにより触媒を含有した液体を放出させて重力によりスポンジ状アプリケータ小片内に供給し、その間、断片化されたガラスカプセルは理想的には、ポリマー保護シース内に保持される。この種の従来型アンプルは典型的には、この中に入れられる重合触媒のコストよりも何倍もコスト高である。加うるに、ガラスバイアルをユーザの指で破砕する際に外側ポリマーシースを突き刺した場合、安全面での危険性が生じる。従来型アンプルのもう１つの欠点は、アンプルを基体の上で差し向けて液体の流れを維持しなければならないということにある。かかるアンプルにおける嫌気性重合触媒の投与と関連したコスト高、危険性及び塗布の向きに鑑みて、貯蔵中における反応体の機能を保持し、従来型アンプルの欠点を解決する化学反応体アプリケータが要望されている。
【課題を解決するための手段】
【０００４】
化学反応体の投与のための物品が、投与条件下にある液体化学反応体又はアダプタ中へ予備加湿された溶媒和化学反応体を有する。化学反応体不浸透性パッケージが、アプリケータを封入するようになったパウチを有する。アプリケータは、毛管作用により化学反応体を基体の接触面まで吸い上げ、このアプリケータは、拭取り片、プレップパッド、綿棒又はスポンジの形態をしている。接着剤を基体に塗布する方法では、溶媒和又は液体状態の化学反応体で予備加湿した毛管作用供給型アプリケータを露出させ、アプリケータをアプリケータのユーザ接触とは無関係に第１の基体に接触させる。次に、化学反応体のフィルムを第１の基体に被着させ、第２の基体を、これと第１の基体との間に硬化性物質及び化学反応体を介在させた状態で第１の基体に接触させる。化学反応体を投与するための物品を内臓した商用パッケージは、アプリケータを封入するようになったパウチを備える化学反応体不浸透性パッケージ内に貯蔵されたアプリケータ中へ予備加湿された溶媒和状態又は投与条件下において液体状態の化学反応体を、化学反応体用の予備加湿アプリケータとしての上記物品の使用説明書と共に有する。アプリケータ中に予備加湿された化学反応体を塗布する選択的に引き剥がし可能又は引き裂き可能なパッケージの使用法も又開示される。
【発明を実施するための最良の形態】
【０００５】
本発明は、触媒の内側被膜又は層を有する金属箔及び触媒溶剤に適合した熱可塑性材料で作られたパッケージ内に貯蔵される予備加湿拭取り片、プレップパッド（prep pad）、綿棒又はスティックとして化学反応体を包装することにより従来型アンプルの欠点を解決する。変形例として、予備加湿アプリケータは、耐穿刺性又は耐引き裂き性を発揮するほどの厚さののものであって触媒及び触媒溶剤に適合した適当な熱可塑性材料で作られているパッケージ内に設けられる。本発明は、従来技術に共通して見られる重力供給型アプリケータとは対照的に、アプリケータ中の毛管作用を利用して化学反応体を投与する。
【０００６】
本明細書で用いる「予備加湿アプリケータ」という用語は、液体化学反応体又は溶媒和化学反応体で湿潤された拭取り片、調製品用パッド（preparation pad ）、スワブ、綿棒及びスポンジとして定義される。
【０００７】
本明細書で用いる「化学反応体」という用語は、反応触媒、プライマ、活性剤、定着剤及び重合モノマーとして定義される。
【０００８】
本発明は、ガラス基体への非珪質材料の取付けに特に利用される。車両用フロントガラスへのバックミラーマウントの取付けは、本発明の例示の一用途である。本発明のパッケージは、嫌気性硬化接着剤用触媒で予備加湿されたアプリケータを露出するよう引き裂かれ又は引き剥がされる。アプリケータは、ガラス基体に接触し、基体の所望の結合領域に触媒材料の薄いフィルムを残す。任意的であるが、基体に付着した触媒に付随する溶剤には揮発するのに十分な時間が与えられる。次に、硬化可能な接着剤を触媒上に塗布し、金属（又は他の材料）製マウント基体をガラス基体に接触させてこれらの間の触媒により嫌気性硬化する接着剤が、硬化が起こることができるほど十分な時間をかけて基体相互間に位置するようにする。
【０００９】
従来型スワブアンプルと比較した場合の本発明の追加の利点は、重力供給によるアンプルスワブが触媒リザーバと流体接触しないような基体の幾何学的形状の場合であっても化学反応体を良好な一様性で塗布できるということにある。アプリケータを溶液中に浸し、溶液をアプリケータに吹き付け、或いは製造中における物品への注入技術により、溶媒和又は液体状態の化学反応体を本発明の予備加湿アプリケータに塗布する。溶剤を何にするかは、主として化学反応体の溶解性及びその溶剤と他の化学反応体との適合性で決まる。本発明において使える溶剤の例としては、水、Ｃ2〜Ｃ20線状又は枝分かれアルカン、エーテル、エステル、アルコール、ケトン、アルデヒド、酸、Ｃ6〜Ｃ10芳香族炭化水素及び置換芳香族炭化水素、フラン、その塩素化、臭素化及び弗素化形態、可塑剤、油、例えばフタル酸ジオクチル（ＤＯＰ）、液状樹脂、例えばトリエチレングリコールモノメタクリレート（ｔｒｉＥＧＭＡ）及びポリエチレングリコールモノメタクリレート（ＰＥＧＭＡ）が挙げられる。
【００１０】
化学反応体の例としては、次に記載するクラスの材料、即ち、典型元素及びランタニド系列有機金属、典型元素及びランタニド系列金属塩の配位錯体、具体的には、有機錫化合物及び有機銅化合物、銅アセチルアセトネート又はアルデヒドアミン凝縮物であり、これらは、嫌気性重合触媒及び（又は）プライマとして活性であることが当該技術分野において知られている。理解されるべきこととして、塗布条件下において液体である化学反応体は、本発明では溶媒和され又は希釈されておらず、このことは任意である。
【００１１】
従来技術とは異なり、パーソナルケア用収斂剤、殺生剤又は洗浄溶液、本発明の溶媒和化学反応体を含んだ予備加湿アプリケータは、皮膚との接触により劣化しがちであり又は皮膚刺激物として作用しがちである。その結果、パッケージの中に入っている予備加湿アプリケータとの皮膚接触を避けるようパッケージを開く際に注意をする必要がある。皮膚接触は、アプリケータ溶剤及び触媒不浸透性手袋又は指サック、鉗子、ピンセットを用いることにより、或いは好ましくは予備加湿アプリケータを遮蔽してユーザとの接触をしないようにしながらこれを露出させるよう引き剥がし可能なパッケージを用いることにより回避される。
【００１２】
本発明を多成分化学反応の触媒成分が予備加湿アプリケータパッケージ内に入っているものとして説明するが、本発明は、化学反応に伴う多種多様な機能成分を含むよう作用することが理解される。例示の多機能予備加湿アプリケータは、組合せ状態の基体クリーナ−プライマ、基体クリーナ−触媒及び基体クリーナ−定着剤を有する。さらに、基体洗浄を化学反応体溶剤だけで又はこれと界面活性剤、酸又は塩基と組み合わせることにより実施できることが理解される。
【００１３】
本発明に用いられる包装システムの吸収材料としては、米国特許第３，５４２，６３４号明細書、第３，０５７，４６７号明細書及び第４，６９６，３９３号明細書に詳しく記載されたものが挙げられ、かかる米国特許明細書の各々の記載内容を本明細書の一部を形成するものとしてここに引用する。好ましくは、本発明のパッケージは、上述の米国特許第４，６９６，３９３号明細書のようにパッケージに封入状態の予備加湿アプリケータを取り付けたものである。本発明との関連では、溶媒和化学反応体で予備加湿されたアプリケータを露出させるには、パッケージフラップを開き、それによりこの中に入っている予備加湿アプリケータを露出させる。パッケージのベース上に保持することにより、予備加湿アプリケータ内容物は、基体上に塗り広げられ、使用後、パッケージの開いたフラップを再び接触させ、それにより使用済みのアプリケータをパッケージ内に収容するが、この場合、全ての操作はアプリケータとの皮膚接触をしないで行われる。
【００１４】
次に図面を参照すると（図中、同一の参照符号は同一の部分を示している）、図１Ａ〜図１Ｃには、本発明の予備加湿アプリケータ物品が全体を符号１０で示されている。物品１０は、パッケージの内面１２に任意的に取り付けられた予備加湿アプリケータパッド１１を有している。パッケージのフラップを後ろへ引くと露出するアプリケータ先端部１１Ａは、追加の触媒を基体に接触しているアプリケータの部分まで吸い上げるためにアプリケータパッドの残部よりも幅が大きいものであるが、このようにするかどうかは任意である。アプリケータ１１とパッケージ１４の内面１２との取付け部１３の例としては、コンタクト接着剤、溶剤溶接、熱による融着、熱硬化性接着剤が挙げられる。パッケージ１４の縁部の近位側の意図的に永続的なシール１５が、開口部１７を備えたパウチ１６を構成するようパッケージ周囲の一部に沿って延びている。開口部１７は、壊れやすいシール材料１８で貯蔵自在に選択的に密封されている。壊れやすいシール１８は、例としては、アプリケータ１１に含浸させた溶剤及び触媒並びに包装材料と適合性のある接着剤シール、ヒートシール、圧力シール又はこれらの組合せである。好ましくは、フラップ１９が、予備加湿アプリケータ１１を露出させるシール１７の開放を容易にするよう壊れやすいシール１７を越えて延びている。
【００１５】
図２Ａ〜図２Ｃを参照すると、予備加湿アプリケータ綿棒２１が、全体を符号２０で示した物品内に封入されている。
【００１６】
以下の例は、本発明の具体的実施例及び比較例を提供するものである。本明細書において詳細に説明する組成及び特性は、例示に過ぎず、特許請求の範囲に記載された本発明の範囲を限定するものではない。
【００１７】
実験例１．従来型アンプルと本発明のアプリケータ接着剤の比較
試験方法及び材料
市販のアルコールプレップパッドを入手し、綿パッドをパッケージから取り出して乾燥させた。パッドに種々のプライマを含浸させ、イソプロパノールであらかじめ清浄にした鋼重ね剪断部の表面をプライマパッドにより一様な動作で拭った。重ね剪断部を嫌気性接着剤で結合し、周囲温度で２４時間かけて乾燥させた。重ね部を引き離す力をＡＳＴＭ・Ｄ１００２に従ってインストロン引張試験機を用いて測定した。
コンポーネント／原料
綿プレップパッド：〜０．４０グラムのプライマ溶液を含浸させた１．２５インチ×２．１２５インチ（３．１７５ｃｍ〜５．３９８ｃｍ）
従来型プライマアンプル
接着剤Ａ：対照例；Permatex部品番号８１８４４−重ね剪断セット１つ当たり１滴
プライマＡ：対照例；Permatex部品番号８１８４４活性剤
プライマＢ：イソプロパノールに溶かしたナフテン酸銅
プライマＣ：イソプロパノールに溶かしたオクタン酸銅
プライマＤ：ヘプタンに溶かしたオクタン酸銅
【００１８】
表  １
従来型アンプルにより塗布したプライマと本発明のアプリケータによる塗布したプライマ
2005523740.tif 000003
報告結果は、１セット当たり３〜５枚重ねの平均値である。
全ての場合においてプライマを接着剤Ａと関連して用いた。
【００１９】
表  ２
従来型アンプルにより清浄な重ね剪断部上に塗布されたプライマのベースライン引張強さ
2005523740.tif 000004
【００２０】
実験例２．クリーナ及びプライマとしての本発明のアプリケータ
実験例１と同一の試験方法を用いたが、重ね剪断部をあらかじめ清浄にしないで、これをイソプロパノールコンタミナント溶液中に浸漬した。重ね部を１時間かけて乾燥させ、過剰の材料を乾燥したペーパータオルで「軽く叩いて」除去した。次に、活性剤を含浸させた本発明の拭取り片を「クリーニングタオル」として用い、また、それにより全ての場合において接着剤Ａを用いたプライマＡの表面上にプライマフィルムが残った。重ね部を組み付けて上述のように試験した。
【００２１】
表  ３
汚染された重ね剪断部上に本発明のアプリケータにより塗布されたプライマの引張強さ
2005523740.tif 000005
上記説明は、本発明の特定の実施形態の例示であり、その実施の際に本発明の範囲を限定するものではない。本発明の範囲は、特許請求の範囲の記載及びその均等範囲によって定められる。
【図面の簡単な説明】
【００２２】
【図１Ａ】本発明の実施形態の平面図である。
【図１Ｂ】本発明の実施形態の断面図である。
【図１Ｃ】本発明の実施形態の斜視図である。
【図２Ａ】本発明の別の実施形態の平面図である。
【図２Ｂ】本発明の別の実施形態の断面図である。
【図２Ｃ】本発明の別の実施形態の斜視図である。
【図１Ａ】
2005523740.tif 000006
【図１Ｂ】
2005523740.tif 000007
【図１Ｃ】
2005523740.tif 000008
【図２Ａ】
2005523740.tif 000009
【図２Ｂ】
2005523740.tif 000010
【図２Ｃ】
2005523740.tif 000011
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
化学反応体の投与のための物品であって、
溶媒和された状態又は投与条件下において液体の状態のうち少なくとも一方の条件を満足する化学反応体と、
上記化学反応体で予備加湿されたアプリケータと、
上記アプリケータを封入するようになったパウチを有する化学反応体不浸透性パッケージと、
を有し、上記化学反応体は、典型元素及びランタニド系列有機金属、典型元素及びランタニド系列金属塩の配位錯体、具体的には、有機錫化合物及び有機銅化合物、銅アセチルアセトネート又はアルデヒドアミン凝縮物から成る群から選択されていることを特徴とする物品。
【請求項２】
上記パッケージは、一部が仮シールによって構成されたパウチを有している請求項１記載の物品。
【請求項３】
上記予備加湿アプリケータは、上記パッケージに取り付けられている請求項１記載の物品。
【請求項４】
上記アプリケータは、拭取り片、プレップパッド、綿棒及びスポンジから成る群から選択されている請求項１記載の物品。
【請求項５】
上記パッケージは、上記仮シールの近位側に設けられた引き剥がし可能なフラップを有している請求項２記載の物品。
【請求項６】
接着剤を塗布する方法であって、
溶媒和又は液体状態の化学反応体で予備加湿した毛管作用供給型アプリケータを露出させる段階を有し、上記化学反応体は、典型元素及びランタニド系列有機金属、典型元素及びランタニド系列金属塩の配位錯体、具体的には、有機錫化合物及び有機銅化合物、銅アセチルアセトネート又はアルデヒドアミン凝縮物から成る群から選択され、
上記方法は、上記アプリケータを上記アプリケータのユーザ接触とは無関係に第１の基体に接触させる段階と、
上記化学反応体のフィルムを上記第１の基体に被着させる段階と、
第２の基体を、これと第１の基体との間に硬化性物質及び上記化学反応体を介在させた状態で第１の基体に接触させる段階と、
を有することを特徴とする方法。
【請求項７】
上記アプリケータは、上記化学反応体の上記フィルムを被着させている間、第１の基体の下で差し向けられる請求項６記載の方法。
【請求項８】
請求項１記載の物品を化学反応体用の予備加湿アプリケータとしての上記物品の使用説明書と共に有することを特徴とする商用パッケージ。
【請求項９】
アプリケータ中の予備加湿状態の化学反応体を塗布するための選択的に引き剥がし可能又は引き裂き可能なパッケージの使用法。
【請求項１０】
上記化学反応体は、これとのユーザ接触とは無関係に投与されることを特徴とする請求項９記載の使用法。
【請求項１１】
請求項６記載の方法により得ることができる接着層。
【請求項１２】
本明細書において実験例のうちの任意の１つについて実質的に記載されると共に（或いは）添付の図面に実質的に記載された請求項１記載の物品。
【国際調査報告】
2005523740.tif 000012